(57)【要約】【課題】足踏み及び筋肉引張りの両重のトレーニング運動の効果を同時に得ることができる踏みマシンを提供する。【解決手段】この踏みマシンは、基座の前側又は後側に１セットの高度を調節可能な脚体が設けられ、使用者が必要に応じて基座を前側の高く且つ後側の低いこんな傾斜状態に調整させ、即ち使用者が踏みマシンで足踏み運動を行う場合には、体が自然的に前側に傾いて重心を維持することにより、両腿の後側の筋肉を伸ばす。【選択図】図１
0003119396.tif 000002
【実用新案登録請求の範囲】
【請求項１】
一つの基座に相対的に交互に上下動可能な二つのペダルが設けられる調節可能な踏みマシンであって、前記基座に選択的に前側又は後側の個所に高度を調節可能な１セットの脚体が設けられる、ことを特徴とする調節可能な踏みマシン。
【請求項２】
前記１セットの脚体は、前記基座に軸支された二つの敷き塊からなり、該二つの敷き塊の構造がほぼ同じで、且つ個々敷き塊に二つの平切断面が少なく相応して設けられ、また二つの対応した平切断面の中線にそのうち一つ平切断面に傾いた軸穴が設けられる、ことを特徴とする請求項１に記載の調節可能な踏みマシン。
【請求項３】
前記個々敷き塊も、ボルトをワッシャーとガスケット及び軸穴に挿通させた方式により基座に軸着され、且つボルトを軸の中心に回転できる、ことを特徴とする請求項２に記載の調節可能な踏みマシン。
【請求項４】
前記基座は、前側と後側の個所にそれぞれ配置された二つのレバー体を主要な支持構造体として、前記１セツトの脚体はそのうち一つのレバー体の両端に軸支された二つの敷き塊から構成され、該二つの敷き塊の構造がほぼ同じで、且つ個々敷き塊に二つの平切断面が少なく対応して設けられ、また二つの対応した平切断面の中線にそのうち一つの平切断面に傾いた一つの軸穴が設けられる、ことを特徴とする請求項１に記載の調節可能な踏みマシン。
【請求項５】
前記レバー体の両端に、中心にねじ穴を有した固定片が設けられ、個々敷き塊は、ボルトをワッシャーとガスケット及び軸穴に挿通させて固定片の中心のねじ穴を締め付ける方式によりレバー体の端部に軸着され、且つボルトを軸の中心に回転できる、ことを特徴とする請求項４に記載の調節可能な踏みマシン。
【請求項６】
前記二つのペダルがそれぞれ油圧シリンダと連結され、油圧シリンダのダンピング作用によって、二つのペダルを相対的に交互に上下動させるとともに、ペダルの動作を協調に維持させる、ことを特徴とする請求項１に記載の調節可能な踏みマシン。
【請求項７】
前記二つのペダルがそれぞれ気圧シリンダと連結され、気圧シリンダのダンピング作用によって二つのペダルを相対的に交互に上下動させるとともに、ペダルの動作を協調に維持させる、ことを特徴とする請求項１に記載の調節可能な踏みマシン。
【請求項８】
前記二つのペダルがそれぞれ摩擦片と連結して、摩擦片の摩擦作用によって二つのペダルを相対的に交互に上下動させ、二つのペダルの後側の足首と接触した個所に阻止部が形成される、ことを特徴とする請求項６又は７に記載の調節可能な踏みマシン。
【請求項９】
前記１セットの脚体は、前記基座に軸支された二つの敷き塊からなり、該二つの敷き塊の構造がほぼ同じで、且つ個々敷き塊に二つの平切断面が少なく相応して設けられ、そして二つの対応した平切断面の中線にそのうち一つ平切断面に傾いた軸穴が設けられ、また敷き塊に該二つの平切断面と異なる二つの平貼付け辺が設けられ、該二つの平貼付け辺と軸穴との距離は二つの平切断面と軸穴との距離より小さい、ことを特徴とする請求項１に記載の調節可能な踏みマシン。
【請求項１０】
前記敷き塊の平切断面にスライド防止用溝紋が設けられる、ことを特徴とする請求項９に記載の調節可能な踏みマシン。
【考案の詳細な説明】
【技術分野】
【０００１】
本考案は、運動トレーニング器具、特に使用者に足踏み及び筋肉引張りを同時に行わせる二重のトレーニング運動の効果を得ることができる踏みマシンに関する。
【背景技術】
【０００２】
一般的に室内のトレーニング器具は使用者に有限な室内空間に、戸外運動と相当なトレーニング効果を得るように、戸外運動の動作モードを模倣する場合が多い。例えば、踏みマシン（または足踏み用トレーニング器具と言われる）とは、使用者の両足の踏み込み力によって、両足に踏み込まれるペダルを交互な上下運動にいつも合致させ、更に足踏み歩行を模倣する方式で運動とトレーニングの目的が実現できるである。
【０００３】
従来の周知の踏みマシンにおいて、その基本構成はほぼ同じで、主に一つの基座上に二つの交互の上下動可能なペダルが設けられ、そのうち、二つのペダルの前端が基座に枢着され、且つ二つのペダルがそれぞれ油圧シリンダに連結され、油圧シリンダのダンピング作用により、二つのペダルを相対的に交互に上下動させるさせるとともに、ペダルの動作を協調に維持させることにより、操作者に足踏みの歩行を模倣可能な運動やトレーニングの効果を取得可能になる。
【考案の開示】
【考案が解決しようとする課題】
【０００４】
しかしながら、類似な踏みマシンはペダルを相互に上下動させるだけであり、操作方式が単調で、つまらないばかりではなく、使用者がいつもペダルを大きい力で踏み込むことにより、逆に腿部の筋肉を伸ばさせることができないので、取得した運動やトレーニングの効果がかなり有限で、従って、さらなる改進の余地がある。
【０００５】
本考案は、前記の足踏み運動の効能だけを持った従来の踏みマシン構造を改良し、使用者に足踏みのトレーニングを行うとともに、両腿の後側の筋肉を自然的に引張り、両腿の筋肉を完全に伸ばさせる踏みマシン構造を提供することを目的とする。
【課題を解決するための手段】
【０００６】
本考案による調節可能な踏みマシンは、一つの基座に相対的に交互に上下動可能な二つのペダルが設けられる調節可能な踏みマシンであって、前記基座が選択的に前側又は後側の個所に高度を調節可能な１セットの脚体が設けられることを特徴とする。
【０００７】
本考案によれば、前記１セットの脚体は、前記基座に軸支された二つの敷き塊からなり、該二つの敷き塊の構造がほぼ同じで、且つ個々敷き塊に二つの平切断面が少なく相応して設けられ、また、二つの対応した平切断面の中線にそのうち一つ平切断面に傾いた軸穴が設けられる。前記個々敷き塊も、ボルトをワッシャーとガスケット及び軸穴に挿通させた方式により基座に軸着され、且つボルトを軸の中心に回転できる。
【０００８】
本考案によれば、前記基座は、前側と後側の個所にそれぞれ配置された二つのレバー体を主要な支持構造体として、前記１セツトの脚体はそのうち一つのレバー体の両端に軸支された二つの敷き塊から構成され、該二つの敷き塊の構造がほぼ同じで、且つ個々敷き塊に二つの平切断面が少なく対応して設けられ、また二つの対応した平切断面の中線にそのうち一つの平切断面に傾いた一つの軸穴が設けられる、ことを特徴とする。前記レバー体の両端に、中心にねじ穴を有した固定片が設けられ、個々敷き塊は、ボルトをワッシャーとガスケット及び軸穴に挿通させて固定片の中心のねじ穴を締め付ける方式によりレバー体の端部に軸着され、且つボルトを軸の中心に回転できる。
【０００９】
本考案によれば、前記二つのペダルがそれぞれ油圧シリンダと連結され、油圧シリンダのダンピング作用によって二つのペダルを相対的に交互に上下動させるとともに、ペダルの動作を協調に維持させる。
【００１０】
本考案によれば、前記二つのペダルがそれぞれ気圧シリンダと連結され、気圧シリンダのダンピング作用によって二つのペダルを相対的に交互に上下動させるとともに、ペダルの動作を協調に維持させる。前記二つのペダルがそれぞれ摩擦片と連結して、摩擦片の摩擦作用によって二つのペダルを相対的に交互に上下動させ、二つのペダルの後側の足首と接触した個所に阻止部が形成される。
【００１１】
本考案によれば、前記１セットの脚体は、前記基座に軸支された二つの敷き塊からなり、該二つの敷き塊の構造がほぼ同じで、且つ個々敷き塊に二つの平切断面が少なく相応して設けられ、そして二つの対応した平切断面の中線にそのうち一つ平切断面に傾いた軸穴が設けられ、また敷き塊に該二つの平切断面と異なる二つの平貼付け辺が設けられ、該二つの平貼付け辺と軸穴との距離は二つの平切断面と軸穴との距離より小さい。前記敷き塊の平切断面にスライド防止用溝紋が設けられる。
【００１２】
従来技術に比べて、本考案は実施する時に、踏みマシンの基座の前側又は後側に設けられた１セットの高度を調節可能な脚体を選択し、使用者が必要に応じて基座を前側の高く且つ後側の低いこんな傾斜状態に調整させ、即ち使用者が踏みマシンで足踏み運動を行う場合には、体が自然的に前側に傾いて重心の平衡を維持し、これにより、両腿の後側の筋肉を伸ばすとともに、足踏み及び筋肉引張りの両重のトレーニング運動の効果を同時に得ることができる。
【考案を実施するための最良の形態】
【００１３】
以下、本考案について添附図面を参照しながら詳細に説明して、且つ全体の操作方式について説明する。
【００１４】
本考案による踏みマシン全体の概略構成は、図１に示すように、一つの基座１０に二つの相対的に交互に上下動可能なペダル２０が設けられ、ペダル２０を操作者が両足で踏み込む構造体とすることで、操作者が力を加えることによって、二つのペダル２０を相対的に交互に上下動させ、操作者に足踏み歩行を模倣可能な運動やトレーニングという効果がある。
【００１５】
また、図２及び図３に示すように、前記基座１０の前側（または後側）に高度を調節可能な脚体３０が１セット設けられ、本実施形態では、基座１０は、前側と後側の個所にそれぞれ配置された二つのレバー体１１を主要な支持構造体として、二つのペダル２０の前端が基座１０の前側のレバー体１１に枢着され、且つそれぞれ油圧シリンダ１２（または気圧シリンダ）と連結され、油圧シリンダ１２のダンピング作用によって、二つのペダル２０を相対的に交互に上下動させるとともに、ペダルの動作を協調に維持させる。
【００１６】
なお、前記脚体３０はそのうち一つのレバー体１１の両端にそれぞれ枢着された二つの敷き塊（高くするため塊）３１からなり、また図３及び図４に示すように、二つの敷き塊３１の構造がほぼ同じで、そして、個々敷き塊３１に二つの平切断面３１１が少なく対応して設けられ、その平切断面３１１に地面と接触する部位としてのフライド防止用溝紋が設けられ、且つ二つの対応した平切断面３１１の中線に一つの軸穴３１２が設けられ、該軸穴３１２がそのうち一つの平切断面３１１に傾いており、敷き塊３１に該二つの平切断面３１１と異なる二つの平貼付け辺３１３が設けられ、該二つの平貼付け辺３１３と軸穴３１２との距離は二つの平切断面３１１と軸穴３１２との距離より小さい。
【００１７】
全体を組立てるときに、まず、一つの固定片３５をレバー体１１と一体に組立てさせ・ボルト３２をワッシャー３３とガスケット３４及び軸穴３１２に挿通させた方式によって、ポルト３２を固定片３５の中心のねじ穴３５１に締め付けさせることで、敷き塊３１がレバー体１１の端部に軸支されるとともに、ボルト３２を軸の中心に回転可能なことになっている。
【００１８】
そこで、使用者は、実際の必要に応じて敷き塊３１を回転させることで、脚体３０の高度を調整することができ、図５に示すように、敷き塊３１を軸穴３１２から近い平切断面３１１が地面と接触する使用状態になるように回転させてもよく、この場合、脚体３０の全体高度が小さい傾斜度を呈す状態では保持され、使用者は小さい角度で筋肉引張り運動を行うことができ、また使用者が敷き塊３１を軸穴３１２から長い平切断面３１１が地面と接触する使用状態になるように回転させると、脚体３０の全体高度は、基座１０を前側の高く且つ後側の低いこんな大きい傾斜状態に呈すものであって、これにより、使用者に踏みマシンで大きい足踏みや筋肉引張りの運動を行われば、体が自然的に前方に傾いて重心の平衡を維持することにより、両腿の後側の筋肉を伸ばすことができる。さらに、使用者が敷き塊３１を軸穴３１２から一番短い平貼付け辺３１３が地面と接触する使用状態になるに回転させると、図７に示すように、この場合、脚体３０の全体高度は、基座１０を水平状態に接近する状態では保持し、これにより、使用者が通常の足踏みの運動を行うできるとともに、足踏み及び筋肉引張りの両重のトレーニングの効果を得ることができる。
【００１９】
二つのペダル２０の後側の足首と接触した個所に阻止部２１が形成され、該阻止部２１はペダル２０の平面より少し高く、使用者が踏みマシンを筋肉引張りの形態に調整させる場合に、図６に示すように、阻止部２１の阻止作用によって、両腿を下にスライドすることが防止できる。
【００２０】
また、図８に示すように、二つのペダル２０がそれぞれ摩擦片１３と連結して、摩擦片１３の摩擦作用によって、二つのペダル２０を相対的に交互に上下動させるとともに、足踏みの動作を協調に維持できる。
【図面の簡単な説明】
【００２１】
【図１】本考案による踏みマシンの正面外観斜視図である。
【図２】本考案による踏みマシンの背面外観斜視図である。
【図３】本考案における敷き塊と基座の構造分解図である。
【図４】本考案における敷き塊と基座の構造断面図である。
【図５】本考案による踏みマシンにおいて、敷き塊を軸穴から短い平切断面が地面に接触するように回転させる使用状態の図である。
【図６】本考案による踏みマシンにおいて、敷き塊を軸穴から長い平切断面が地面に接触するように回転させる使用状態の図である。
【図７】本考案による踏みマシンにおいて、敷き塊を軸穴から一番短い平貼付け辺が地面に接触するように回転させる使用状態の図である。
【図８】本考案による踏みマシンの他の使用状態の図である。
【符号の説明】
【００２２】
１０          基座
１１          レバー体
１２          油圧シリンダ
１３          摩擦片
２０          ペダル
２１          阻止部
３０          脚体
３１          敷き塊
３１１        平切断面
３１２        ボルト
３１３        平貼付け辺
３２          回転軸
３３          ワッシャー（ｗａｓｈｅｒ）
３４          ガスケット（ｇａｓｋｅｔ）
３５          固定片
３５１        ねじ穴
【図１】
0003119396.tif 000003
【図２】
0003119396.tif 000004
【図３】
0003119396.tif 000005
【図４】
0003119396.tif 000006
【図５】
0003119396.tif 000007
【図６】
0003119396.tif 000008
【図７】
0003119396.tif 000009
【図８】
0003119396.tif 000010